(57)【要約】【課題】遊技機のメダル投入口に直接メダルを投入するためのノズルを備えるメダル貸機において、所要枚数のメダルを確実に払い出すとともに、ノズルでのメダル詰まりを防止し、さらに不正行為を抑止する。【解決手段】ホッパ装置のロータ１０に接続されるノズル１１，１５、１６を、逆Ｕ字状に湾曲しつつ上方へ向かい、その頂点を経て下方へ延びてメダル貸機の筐体の外部へ達するように設け、メダルカウント用のセンサ２を、前記頂点近傍又は前記頂点よりもノズルの出口１６寄りに設ける。【選択図】        図１
2004248767.tif 000002
【特許請求の範囲】
【請求項１】
遊技機に隣接して設けられ、所定の操作に応じてメダルを所定枚数払い出すメダル貸機であって、メダルを貯留するホッパタンク及び前記ホッパタンクからメダルを受けて外部へメダルを送り出すロータを含むホッパ装置と、前記ホッパ装置を収納する筐体と、第１の端が前記ホッパ装置のメダル払い出し口に取り付けられ、他方の第２の端からメダルが排出されるノズルと、前記ホッパ装置から送り込まれたメダルを検出するためのセンサとを備え、
前記ノズルは、前記ホッパ装置のメダル払い出し口から湾曲しつつ上方へ向かい、その頂点を経て下方へ延びて前記筐体の外部へ達するように設けられ、前記頂点は前記筐体内に位置し、前記センサは、前記ノズルの前記頂点近傍に設けられ又は前記頂点よりも前記ノズルの第２の端寄りに設けられたことを特徴とするメダル貸機。
【請求項２】
前記センサは、前記筐体内に設けられたことを特徴とする請求項１記載のメダル貸機。
【請求項３】
前記筐体の前面に前記ノズルの一部を覆うカバーが設けられ、前記センサは、前記カバー内に設けられたことを特徴とする請求項１記載のメダル貸機。
【請求項４】
前記ロータは、前記ホッパタンクの下部に略垂直方向に配置され、前記ロータのメダル出口に、メダル通路が略垂直方向に配置された前記ノズルが接続され、メダルが略垂直方向に立った状態で前記ノズル内を通過することを特徴とする請求項１記載のメダル貸機。
【請求項５】
前記センサは、前記ノズル内のメダル通路の一方の壁面近傍の設けられた可動式の部材と、前記部材を前記メダル通路内側に付勢する弾性部材と、前記部材が前記メダル通路の外に移動したときにこれを検出する検出器とを備え、前記部材は、前記ロータにより送り出されたメダルを受けて前記メダル通路の外に移動し、これによりメダルが前記センサを通過可能になることを特徴とする請求項１記載のメダル貸機。
【請求項６】
遊技機に隣接して設けられ、所定の操作に応じてメダルを所定枚数払い出すメダル貸機であって、メダルを貯留するホッパタンク及び前記ホッパタンクからメダルを受けて外部へメダルを送り出すロータを含むホッパ装置と、前記ホッパ装置を収納する筐体と、第１の端が前記ホッパ装置のメダル払い出し口に取り付けられ、他方の第２の端からメダルが排出されるノズルと、前記ホッパ装置から送り込まれたメダルを検出するためのセンサとを備え、
前記ロータはメダル貸機の前面に向かって下り傾斜して設けられ、前記ノズルは前記ロータから下方へ延びて前記筐体の外部へ達するように設けられ、前記センサは前記ノズルの前記ロータのメダル出口近傍に設けられたことを特徴とするメダル貸機。
【請求項７】
前記ノズルを前記遊技機のメダル投入口に固定するための機構として、前記ノズルの先端に突起を設けるとともに、遊技機のメダル投入口近傍に前記突起に嵌合する穴が設けられていることを特徴とする請求項１乃至請求項６いずれかに記載のメダル貸機。
【請求項８】
前記ノズルを前記遊技機のメダル投入口に固定するための機構として、前記ノズルの中間に遊技機本体の一部と嵌合する嵌合部を設けたことを特徴とする請求項１乃至請求項６いずれかに記載のメダル貸機。
【請求項９】
前記ノズルを前記遊技機のメダル投入口に固定するための機構として、遊技機本体に前記ノズルの中間部を支えるための支持部が設けられたことを特徴とする請求項１乃至請求項６いずれかに記載のメダル貸機。
【発明の詳細な説明】
【０００１】
【発明の属する技術分野】
本発明は、メダルを払い出すためのノズルを備えるメダル貸機に関する。
【０００２】
【従来の技術】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機で借りることができる。メダル貸機は遊技機と遊技機の間に設けられることもあり、このことから台間機メダルサンドとも呼ばれる。メダル貸機でメダルを借り、メダルを所望の遊技機のメダル投入口に投入することによりゲームを開始することができる。この間のメダルを受けてこれらを投入するという作業は、利用者自らが行っていた。すなわち、メダル貸機で購入したメダルはその下部又は遊技機下部のメダル受け皿へ払い出され、遊技者はそのどちらかから遊技に必要なメダルを取り出し、遊技機の投入口にメダルを１枚づつ手で投入する必要があった。
【０００３】
【発明が解決しようとする課題】
これでは一度に多数のメダルを投入するときに手間がかかり不便である。メダル貸機からのメダルを所望の遊技機のメダル投入口に直接送ることができれば、手間が省けて便利である。
【０００４】
本発明は、上述の遊技者の負担を軽減するとともにメダルを投入するときの手の汚れを軽減するためになされたもので、遊技機の通常投入口へメダル貸機からメダルを連続自動投入するための機構、特にそのためのノズルを備えるメダル貸機を提供することを目的とする。
【０００５】
【課題を解決するための手段】
この発明に係るメダル貸機は、遊技機に隣接して設けられ、所定の操作に応じてメダルを所定枚数払い出すメダル貸機であって、メダルを貯留するホッパタンク及び前記ホッパタンクからメダルを受けて外部へメダルを送り出すロータを含むホッパ装置と、前記ホッパ装置を収納する筐体と、第１の端が前記ホッパ装置のメダル払い出し口に取り付けられ、他方の第２の端からメダルが排出されるノズルと、前記ホッパ装置から送り込まれたメダルを検出するためのセンサとを備え、前記ノズルは、前記ホッパ装置のメダル払い出し口から湾曲しつつ上方へ向かい、その頂点を経て下方へ延びて前記筐体の外部へ達するように設けられ、前記頂点は前記筐体内に位置し、前記センサは、前記ノズルの前記頂点近傍に設けられ又は前記頂点よりも前記ノズルの第２の端寄りに設けられたことを特徴とする。ノズルとは、例えば図２に示すレール１１、メダルガイド１５を含むものである。
【０００６】
好ましくは、前記センサは、前記筐体内に設けられる。
【０００７】
前記筐体の前面に前記ノズルの一部を覆うカバーが設けられるとき、前記センサは、前記カバー内に設けられてもよい。
【０００８】
前記ロータは、前記ホッパタンクの下部に略垂直方向に配置され、前記ロータのメダル出口に、メダル通路が略垂直方向に配置された前記ノズルが接続され、メダルが略垂直方向に立った状態で前記ノズル内を通過するようであってもよい。
【０００９】
好ましくは、前記センサは、前記ノズル内のメダル通路の一方の壁面近傍の設けられた可動式の部材と、前記部材を前記メダル通路内側に付勢する弾性部材と、前記部材が前記メダル通路の外に移動したときにこれを検出する検出器とを備え、前記部材は、前記ロータにより送り出されたメダルを受けて前記メダル通路の外に移動し、これによりメダルが前記センサを通過可能になるものである。
【００１０】
この発明に係る遊技機は、遊技機に隣接して設けられ、所定の操作に応じてメダルを所定枚数払い出すメダル貸機であって、メダルを貯留するホッパタンク及び前記ホッパタンクからメダルを受けて外部へメダルを送り出すロータを含むホッパ装置と、前記ホッパ装置を収納する筐体と、第１の端が前記ホッパ装置のメダル払い出し口に取り付けられ、他方の第２の端からメダルが排出されるノズルと、前記ホッパ装置から送り込まれたメダルを検出するためのセンサとを備え、前記ロータはメダル貸機の前面に向かって下り傾斜して設けられ、前記ノズルは前記ロータから下方へ延びて前記筐体の外部へ達するように設けられ、前記センサは前記ノズルの前記ロータのメダル出口近傍に設けられたものである。
【００１１】
好ましくは、前記ノズルを前記遊技機のメダル投入口に固定するための機構として、前記ノズルの先端に突起を設けるとともに、遊技機のメダル投入口近傍に前記突起に嵌合する穴が設けられているとよい。
【００１２】
好ましくは、前記ノズルを前記遊技機のメダル投入口に固定するための機構として、前記ノズルの中間に遊技機本体の一部と嵌合する嵌合部を設けるとよい。
【００１３】
好ましくは、前記ノズルを前記遊技機のメダル投入口に固定するための機構として、遊技機本体に前記ノズルの中間部を支えるための支持部が設けられているとよい。
【００１４】
【発明の実施の形態】
発明の実施の形態１．
図１は発明の実施の形態１に係るメダル貸機とこれに隣接するスロットマシン（遊技機）を示す斜視図である。同図において、１はメダルを払い出すためのノズル、３はメダル貸機の紙幣挿入口、１００はメダル貸機、２００は遊技機本体、２０１は遊技機のメダル投入口である。
【００１５】
メダル払い出しノズル１の一端はメダル貸機１００のメダル払い出し口に取り付けられ、他端は遊技機２００のメダル投入口２０１に取り付けられる。メダル払い出しノズル１の先端にはメダル投入口２０１の形状と適合する形状の先端部（この部分を「ノズル」とも呼ぶ）が設けられ、あるいは先端部が形成されている。適合する形状とは、例えば、間に隙間が生じないようにするため、先端部の形状はメダル投入口２０１の外形形状と一致するとともに、両者のメダル通路の断面形状も一致するものである。このためメダル貸機１００からのメダルは遊技機内にスムーズに送りこまれる。メダル払い出しノズル１のメダル貸機１００側の取り付け部はジョイント構造であったり、メダル払い出しノズル１全体が蛇腹構造であったりして、メダル払い出しノズル１全体が前後左右に動くようになっている。遊技者はメダル払い出しノズル１全体またはその先端部を動かしてノズル１をメダル投入口２０１に接続しメダル貸機１００から遊技機２００へメダルを連続投入するようにしたり、メダル払い出しノズル１全体又は一部をどけて通常の動作の邪魔にならないようにし、メダルを手で１枚づつ投入することができる。メダルを人手を介さずに投入するときは先端部をメダル投入口２０１に固定する。図１において、メダル払い出しノズル１はメダル投入口２０１の直上方から接続され、メダルはメダル投入口２０１の真上から落下するようになっている。ノズル先端の手前側（遊技者側）の一部がメダルの大きさよりも若干大きめに切り欠かれていて、遊技者はこの切り欠き部分からメダルを手動で１枚づつ投入することもできる。
【００１６】
メダル貸機（台間機）１００について簡単に説明する。メダル貸機１００は貨幣の投入等に応じて遊技用メダルを払出すものである。スロットマシンを多数列設した、いわゆるパチスロ島には、遊技用メダルを貸出すメダル貸出機が各スロットマシンの側方に設けられており、貨幣やプリペイドカードの投入などによりメダルを借りることができるようになっている。したがって、遊技客は遊技中に手持ちの遊技用メダルが少なくなった場合であっても、席から離れることなく、しかも遊技を続けながらでもメダルを借りることができる。
【００１７】
台間メダル貸機１００の本体は縦長略直方体状を呈しており、前面に金銭を投入してメダルを借りるための紙幣投入口３が設けられている。紙幣投入口３の下方には、貸し出すメダルの数量などを表示する表示板が設けられる。紙幣投入口３の内部には図示しない紙幣識別装置が設けられている。この紙幣識別装置は、紙幣投入口３から投入された紙幣が真（本物の紙幣）の場合、投入された紙幣に相当するメダルをメダル貸機１００から排出し、また、紙幣投入口３から投入された紙幣が偽（偽紙幣）の場合、投入された紙幣をそのまま紙幣投入口３に戻す。メダル貸機１００の内部にはメダルを払い出すための装置としての図示しないホッパ装置が設けられている。ホッパ装置の上部には図示しないメダル収納部（ホッパタンク）が設けられている。ホッパ装置は、メダル収納部内に収納されたメダルをその払出口から一枚づつメダル払い出しノズル１に排出する。
【００１８】
台間メダル貸機１００の紙幣投入口３から所定の金額の紙幣が一枚挿入されると、挿入された紙幣は紙幣識別装置で真偽が判定される。投入された紙幣が真の場合、投入された紙幣の金額に相当するメダルの数量を表示部に表示するとともに、ホッパーによりメダル収納部に収納されたメダルが所定の数だけ一枚一枚払出口から排出される。メダルはメダル払い出しノズル１により案内されてメダル投入口２０１に導かれる。これによって、遊技客はメダル投入に煩わされることなくスロットマシン２００の遊技を楽しむことができる。
【００１９】
図２はメダル払い出しノズル１の一例を示す図である。図２のメダル払い出しノズル１はジョイントにより移動可能に構成されている。同図において、１０はメダル貸機１００に貯留されたメダルを送り出すためのローターディスク、１１はローターディスク１０からのメダルをメダル払い出しノズル１に導くレール、１２はレール１１の終端に設けられるカウンターアーム、２はメダルを計数するためのセンサ、１４はジョイント、１５はジョイント１４により結合されるメダルガイド、１６は遊技者の操作に基づきメダルガイド先端（ノズル）のメダルを遊技機２００のメダル投入口２０１へ送り出すためのゲート機構、１６ａはゲート機構１６のメダル投入ボタンである。ゲート機構１６により、遊技者の意思に反してメダルがノズルから排出されて床にばらまかれることを防止できる。
【００２０】
メダル貸機１００はその筐体内部に、メダルを貯留する図示しないホッパタンク及びホッパタンクからメダルを受けて外部へメダルを送り出すロータ１０を含むホッパ装置を備え、ノズル１の一方の端（第１の端）がホッパ装置のメダル払い出し口（ロータ１０のメダル出口）に取り付けられ、他方の端（第２の端）からメダルが排出されるのである。
【００２１】
メダル貸機１００から遊技機２００へメダルを送り出すためのメダル払い出しノズル１は、図２に示されたレール１１、ジョイント１４ａ〜１４ｄ及び５つのメダルガイド１５を含むものである。先端のメダルガイド１５は下方へ湾曲していて、その先端のノズル部分（ほぼ真下を向いている）にゲート機構１６が設けられている。メダル投入ボタン１６ａを矢印の方向に押すことによりメダルが１枚づつメダル投入口２０１に送り出される。ジョイント１４ａ，１４ｃは略垂直の回転軸をもちメダル払い出しノズル１を左右に動かすことが可能である。ジョイント１４ｂ、１４ｄは略水平の回転軸をもちメダル払い出しノズル１を上下に動かすことが可能である。図２の二点鎖線はメダル払い出しノズル１を上に持ち上げた状態を示す。この状態でメダル貸機１００から遊技機２００へメダルを連続して投入することはできないが、メダル投入口２０１にメダル払い出しノズル１がなく、遊技者は従来と同様にメダルを手動で投入できる。メダル払い出しノズル１を持ち上げてもゲート機構１６があるのでメダルがこぼれ落ちる心配はない。なお、説明中の垂直、水平は遊技機やメダル貸機が設置される面（床）に対して垂直、平行であることを意味する。
【００２２】
図２において、ノズル１の途中にメダルの払い出し枚数をカウントするためのセンサ２を備える。センサ２によりメダルの投入枚数・投入速度を計数し、メダル貸機１００の払い出し動作を制御することができる。例えば、図２に示すゲート機構１６を備える場合、投入されたメダルを補充するように制御し、メダル払い出しノズル１内でメダルが詰まったり、逆に空になったりすることを防止できる。
【００２３】
図２を参照するとわかるように、ノズル１は、ホッパ装置のメダル払い出し口（ロータ１０のメダル出口）から湾曲しつつ上方へ向かい、その頂点を経て下方へ延びて前記筐体の外部へ達するように設けられている。レール１１の形状は長円（逆Ｕ字）の一部をなしている。長円の頂点はメダル貸機の筐体内に位置している。レール１１は長円の頂点を少し過ぎたところで終わり、ここでメダルガイド１５に連通している。ロータ１０から送り出されたメダルは、ロータ１０の回転力を受けてレール１１を登り、その頂点を過ぎたところでメダルガイド１５に入り、これ以降自重により自然と転がっていき先端ノズル１６から排出される。ロータ１０の回転が停止すると、レール１１内のメダル（正確にはレール１１内のメダルとメダルガイド１５内のセンサ２までの間のメダル）はカウンタアーム１２（及びセンサ２）により抑止されて移動せず、レール１１内に貯留している。これに対し、センサ２以降のメダルは先端ノズル１６から排出される。センサ２は、頂点の近傍であって、頂点よりもノズルの第２の端寄りに設けられている。センサ２はメダル貸機の筐体内に設けられている。
【００２４】
図２において、ロータ１０はその面が水平ではなく垂直に設けられている。これはメダルを送り出す際にホッパタンク内のメダルをかき混ぜるためである。このためロータ１０からメダルは立った状態で送り出され、したがって、メダルは、図２に示すようにレール１１やメダルガイド１５内のメダル通路を垂直に立った状態で通過していく。メダルを立った状態で送ることにより、メダル通路の幅がメダルよりもやや大きくても途中でメダルが詰まりにくくなる。これに対し、メダルを水平に送る場合においてメダル詰まりを避けるために、メダル通路の幅の寸法精度を厳しく管理する必要がある。
【００２５】
図３はセンサ２の具体的構成の一例を示す。図３において、２ａはノズル１内のメダル通路の一方の壁面近傍に設けられた可動式のカウンタローラ、２ｂはローラ２ａをメダル通路内側に付勢する弾性部材（復元バネ）、２ｃはローラ２ａがメダル通路の外に移動したときにこれを検出する検出器（センサ。例えばフォトダイオードを用いた光学式のセンサ、リードスイッチを用いた磁気式のセンサ）である。ローラ２ａはこれより外側に設けられた図示しない回転軸に取りつけられて外側に向かって回動し、あるいは図３（ｃ）の矢印の方向に設けられた溝に沿って可動する。メダルＭのない状態でローラ２ａは図３（ａ）（ｂ）のようにメダル通路内にあるが、ロータ１０により送り出されたメダルＭを受けるとローラ２ａは図３（ｃ）のようにメダル通路の外に移動し、これによりメダルＭがこの部分を通過するとともに、検出器２ｃによりメダルＭが通過したことを検出する。メダルＭが１枚通過すると復元バネ２ｂによりローラ２ａはメダル通路内に戻り、検出器２ｃはこのことを検出する。したがって、検出器２ｃの出力信号を調べればセンサ２を通過したメダルＭの枚数を知ることができる。
【００２６】
ローラ２ａが付勢されているため、メダルＭはロータ１０により押されてはじめてセンサ２を通過できる。図２において、ロータ１０が停止しているときメダルＭは自分の自重によってセンサ２を通過することはできない。一方、センサ２で計数されたメダルはメダルガイド１５内を転がっていきノズルから排出される。ノズル内にメダルが残る部分は第１の端からセンサ２までの間に限られ、ノズル内に残るメダルの枚数は一定である。
【００２７】
ところで図２のセンサ２の取り付け位置は最良のものである。このことについて詳しく説明する。
センサ２の取り付け位置としていくつか考えられる。
（１）ロータのメダル出口、ノズルの第１の端
（２）ロータとノズルの頂点の間
（３）ノズルの頂点
（４）ノズルの頂点とノズルの第２の端（ノズル先端）の間であって、（４ａ）筐体の内側あるいは（４ｂ）筐体の外側
（５）ノズル先端
【００２８】
（１）（２）の場合、センサ２によりカウントされたメダルの一部がノズル内に残り払い出されないので、メダルを規定の枚数だけ払い出せないという問題がある。他方、（５）のようにノズルの先端に近いところに設けられていると次のような不都合がある。
・不正行為が容易である。
・センサがホッパから離れていると、ホッパからメダルが到達するまでに時間がかかり、カウントしにくい。連続した払い出しができない。
・曲がったノズルの場合、ノズルの途中でメダルが詰まることがある。センサにかかったところで詰まればカウントできるが、センサの手前で詰まると、詰まったという検出が難しい。ホッパ装置のモータに過負荷がかかる。
・センサの配線を本体外に設けなければならない。不具合が起きたときの対処、メンテナンス、部品交換、コスト等の点で不利である。
以上から、（５）のノズルの先端にセンサを設けることは実現的でない。
【００２９】
したがって、（３）ノズルの頂点、又は、（４）ノズルの頂点とノズルの第２の端（ノズル先端）の間にセンサを設けることが望ましい。特に、（４ａ）筐体の内側に設けることによりセンサ２のアクセスが困難になり、不正行為を抑止できる。
【００３０】
図４は、図２と異なる実施の形態を示す。図４において、ロータ１０はその面が水平に設けられてメダルは横になった状態で送り出される。センサ２は筐体１００の外側に設けられるが、ノズルカバー１００ａで覆われている。ノズルカバー１００ａによりセンサ２に対する不正行為を抑止することができる。
【００３１】
図５は、図２や図４と異なる実施の形態を示す。ロータ１０はその面が水平に設けられるとともに、メダル貸機の前面に向かって下り傾斜して設けられている。ノズル１はロータ１０から下方へ延びて筐体の外部へ達するように設けられている。センサ２はロータ１０のメダル出口近傍に設けられている。図５の場合、図２や図４のようなノズル１の立ちあがり部分がないのでセンサ２をロータ１０の近傍に設けることができる。他方、ロータ１０が垂直に設けられていないためメダルをかき混ぜる効果は期待できない。
【００３２】
次にノズルを固定するための手法について説明する。ノズルのぶれを防止するためには何らかの固定手段を備えることが好ましい。
図６はノズル１をメダル投入口２０１に装着した状態を示し、図７はノズル１を跳ね上げた状態を示す。
【００３３】
図６及び図７において、１４ａは回転式ジョイント、１５は先端のメダルガイド、１５１はメダルガイド１５の先端部（ノズル）の下側に設けられた突起、２０１は遊技機２００のメダル投入口、２０２はメダル投入口２０１の一方の側（ノズルが取り付けられる側と反対の側）に設けられてノズルから排出されるメダルを一旦受け止めてメダル投入口２０１のメダル通路に導くガイド部、２０３は突起１５１と嵌合してノズルを固定するための穴、２１０は投入されたメダルを判別し計数してホッパータンクへ送るメダルセレクタである。突起１５１はノズル先端に台座を介して設けられる。台座はノズルが固定された状態においてメダル投入口２０１の基礎部分と密着するように構成されている。これによりノズルが安定する。突起１５１の一部に溝が設けてあり、これに穴２０３に設けられた湾曲した弾性部材が嵌り込み、突起１５１をしっかりと固定する。ガイド部２０２はノズルから排出されるメダルがメダル投入口２０１で弾かれて外に飛び出さないようにするためのものであり、ある程度の高さと厚みをもつものである。メダルの表裏に面する部分にはやはりガード部が設けられているので、これらが相俟ってメダルを確実にメダルセレクタ２１０へと送りこむことができる。メダルセレクタ２１０のメダル通路はメダル投入口２０１と連通している。なお、これらガイド部の上方は開放されているので、遊技者はメダルを手動で投入することができる。
【００３４】
図６及び図７のメダル連続投入機構において、ノズルを含む先端のメダルガイド１５はジョイント１４ｄを中心に回動可能に構成されているので、連続投入機構を使わないとき、手動投入の邪魔にならないようにメダルガイド１５の先端を跳ね上げておくことができる（図７参照）。図７の状態において、メダル投入口２０１の部分にノズルがなくなり通常状態と同様になる。したがって、手で１枚づつ投入することが容易である。もっともノズルが取りつけられているときでも手動投入は可能である。
【００３５】
先端のメダルガイド１５の上部が切り欠かれているので、ここを通過するメダルを目視でき、メダルの投入状況を確認できる。図７の点線で示すＡ部が切り欠かれた部分である。メダルガイド１５の上部の一部（３分の１程度）を切り欠く程度であればメダルの通過に支障がない。なお、単にメダルを目視するだけであれば当該メダルガイド１５を透明部材で形成してもよい。
【００３６】
図６及び図７において、メダルガイド１５が真上からではなく斜めにメダル投入口２０１に接続され、しかも、その先端ノズルがメダル投入口２０１の直前に取りつけられている（メダル投入口２０１のメダル通路の手前でメダルガイド１５が終わっていて、メダル投入口２０１を覆っていない）ので、メダル投入口２０１のメダル通路（メダルを入れるスリット）の上方が開放されている。このためノズルを装着した状態でも手動でメダル投入が可能である。メダルガイド１５の一部が切り欠かれているのでこの部分からもメダルを手動投入することができる。
【００３７】
図８及び図９は他のノズル固定手法の説明図である。
ノズルを遊技機のメダル投入口に固定するための機構として、ノズル１に遊技機本体２００の一部と嵌合する嵌合部を設けるようにしてもよい。この例を図８及び図９（ａ）（ｂ）に示す。これらの図に示されるように、ノズル１には嵌合部１７０が設けられ、これが遊技機本体２００の前面パネルに設けられた側壁２００ａ（前面パネルのリール部の横に設けられている）の一部と嵌合することによりノズルが固定される。図８において嵌合部分は点線で示されている。嵌合部１７０は例えば弾性を備えるクリップ状の部材である。クリップ部分が側壁２００ａに嵌り込む。ノズル１に嵌合部を設けると遊技機本体２００の加工は不要になる。なお、側壁２００ａに嵌合を容易にするための切り欠きを設けるようにしてもよい。
【００３８】
図９（ｃ）（ｄ）は別の例を示す。この図はノズルを遊技機のメダル投入口に固定するための機構として、遊技機本体にノズル１を支えるための支持部を設けたものを示す。支持部１７１は側壁２００ａに設けられたフック状の部材である。これによりノズル１が保持される。この場合、ノズル１をどこに嵌め込むかわかりやすい。
【００３９】
本発明は、以上の実施の形態に限定されることなく、特許請求の範囲に記載された発明の範囲内で、種々の変更が可能であり、それらも本発明の範囲内に包含されるものであることは言うまでもない。
【００４０】
【発明の効果】
以上のように、この発明によれば、ノズルを、ホッパ装置のメダル払い出し口から湾曲しつつ上方へ向かい、その頂点を経て下方へ延びてメダル貸機の筐体の外部へ達するように設け、メダルカウント用のセンサを、前記頂点近傍に設け又は前記頂点よりも前記ノズルの第２の端寄りに設けることにより、所要枚数のメダルを確実に払い出すとともに、メダル詰まりを防止し、不正行為を抑止することができる。
【図面の簡単な説明】
【図１】発明の実施の形態に係るメダル貸機の概要を示す斜視図である。
【図２】発明の実施の形態に係るメダル貸機のノズルの構成を示す図である。
【図３】発明の実施の形態に係るメダルカウントセンサの概略図である。
【図４】発明の実施の形態に係る他のメダル貸機の概要を示す断面図である。
【図５】発明の実施の形態に係る他のメダル貸機の概要を示す斜視図である。
【図６】発明の実施の形態に係るノズルの固定手法の説明図である。
【図７】発明の実施の形態に係るノズルの固定手法の説明図である。
【図８】発明の実施の形態に係るノズルの固定手法の説明図である。
【図９】発明の実施の形態に係るノズルの固定手法の説明図である。図９（ａ）はノズルに設けられた嵌合部の正面図、同図（ｂ）は同じく右側面図、同図（ｃ）は遊技機本体に設けられた支持部の正面図、同図（ｄ）は同じく右側面図である。
【符号の説明】
１  メダル払い出しノズル
２  メダル払い出し枚数カウント用のセンサ
２ａ  カウンタローラ
２ｂ  復元バネ
２ｃ  センサ
３  メダル貸機の紙幣挿入口
１０  ローターディスク
１０ａ  ホッパタンク
１１  レール
１２  カウンターアーム
１４  ジョイント
１５  メダルガイド
１６  ゲート機構
１６ａ  ゲート機構のメダル投入ボタン
１００  メダル貸機
１００ａ  ノズルカバー
１５１  突起
１７０  嵌合部
１７１  支持部
２００  遊技機本体
２００ａ  側壁
２０１  遊技機のメダル投入口
２０１  遊技機のメダル投入口
２０２  ガイド部
２０３  突起１５１と嵌合する穴
２１０  メダルセレクタ
Ｍ  メダル
【図１】
2004248767.tif 000003
【図２】
2004248767.tif 000004
【図３】
2004248767.tif 000005
【図４】
2004248767.tif 000006
【図５】
2004248767.tif 000007
【図６】
2004248767.tif 000008
【図７】
2004248767.tif 000009
【図８】
2004248767.tif 000010
【図９】
2004248767.tif 000011